(57)【要約】  a)  それぞれアレイを成して配列された複数の画素を含むディスプレイ領域を有し、そして少なくとも1つの欠陥画素を有する複数のフラット・パネル・ディスプレイを選択すること；  b)  該複数のフラット・パネル・ディスプレイと整列した状態で、1つ又は2つ以上のフェースプレートを配置することにより、タイル型ディスプレイを形成すること、ここで、該フェースプレートはアレイを成す複数のライトパイプを有し、該ライトパイプは、該フラット・パネル・ディスプレイのディスプレイ領域から、該タイル型ディスプレイの該ディスプレイ面に光を透過させるための入力端面と出力端面とを有し、該ライトパイプのそれぞれの該入力端面は、該選択されたフラット・パネル・ディスプレイの1つの画素の面積よりも大きい面積を有し、そして、各ライトパイプは、該フラット・パネル・ディスプレイの該ディスプレイ領域からの2つ以上の画素から、該タイル型ディスプレイの該ディスプレイ面に光を透過させる、各工程を含んで成るタイル型ディスプレイの製造方法。
2007524133.tif 000002
【特許請求の範囲】
【請求項１】
a)  複数のフラット・パネル・ディスプレイを選択すること、ここで、各フラット・パネル・ディスプレイはアレイを成して配列された複数の画素を含むディスプレイ領域を有し、そして少なくとも1つの欠陥画素を有する；
b)  該複数のフラット・パネル・ディスプレイと整列した状態で、1つ又は2つ以上のフェースプレートを配置することにより、タイル型ディスプレイを形成すること、ここで、該1つ又は2つ以上のフェースプレートはアレイを成す複数のライトパイプを有し、該ライトパイプは、該フラット・パネル・ディスプレイのディスプレイ領域から、該タイル型ディスプレイの該ディスプレイ面に光を透過させるための入力端面と出力端面とを有し、該ライトパイプのそれぞれの該入力端面は、該選択されたフラット・パネル・ディスプレイの1つの画素の面積よりも大きい面積を有し、そして、各ライトパイプは、該フラット・パネル・ディスプレイの該ディスプレイ領域からの2つ以上の画素から、該タイル型ディスプレイの該ディスプレイ面に光を透過させる、
各工程を含んで成るタイル型ディスプレイの製造方法。
【請求項２】
該フラット・パネル・ディスプレイの該ディスプレイ領域が、第1のサイズを有し、そして該ライトパイプが、該ディスプレイ領域から、該フラット・パネル・ディスプレイの該ディスプレイ領域のサイズよりも大きい第2のサイズを有する該タイル型ディスプレイのディスプレイ面に、光を透過させる、請求項1に記載の方法。
【請求項３】
該タイル型ディスプレイの該ディスプレイ面が、該フラット・パネル・ディスプレイの該ディスプレイ領域に対して平行である、請求項2に記載の方法。
【請求項４】
該タイル型ディスプレイが、選択された各フラット・パネル・ディスプレイと整列した状態で個々のフェースプレートを配置し、そして個々の該フェースプレートの隣り合うエッジをアレイを成すように整列させることにより、形成される、請求項1に記載の方法。
【請求項５】
該フェースプレートの、整列させられた隣り合うエッジが、少なくとも1つの次元で相互嵌合される、請求項4に記載の方法。
【請求項６】
該フェースプレートの、該整列させられた隣り合うエッジが、2つの次元で相互嵌合される、請求項5に記載の方法。
【請求項７】
該フェースプレートの、該整列させられた隣り合うエッジが、少なくとも1つの次元で、2つ以上の行又は列によって相互嵌合される、請求項5に記載の方法。
【請求項８】
該タイル型ディスプレイが、単一のフェースプレートと整列した状態で、選択された多数のフラット・パネル・ディスプレイを配置することにより形成される、請求項1に記載の方法。
【請求項９】
該フラット・パネル・ディスプレイの隣り合うエッジに沿った画素素子からの光を透過させるライトパイプが、少なくとも1つの次元でタイル型ディスプレイのディスプレイ面で相互嵌合される、請求項8に記載の方法。
【請求項１０】
該フラット・パネル・ディスプレイの隣り合うエッジに沿った画素素子からの光を透過させるライトパイプが、2つの次元でタイル型ディスプレイのディスプレイ面で相互嵌合される、請求項9に記載の方法。
【請求項１１】
該フラット・パネル・ディスプレイの隣り合うエッジに沿った画素素子からの光を透過させるライトパイプが、少なくとも1つの次元で、2つ以上の行又は列によって相互嵌合される、請求項9に記載の方法。
【請求項１２】
該欠陥画素が、色及び/又は明るさにおいて欠陥がある、請求項1に記載の方法。
【請求項１３】
各ライトパイプの光出力を共通の明るさ、色、及びダイナミックレンジに補正するためのコントローラーを提供する工程をさらに含む、請求項1に記載の方法。
【請求項１４】
該フラット・パネル・ディスプレイが液晶ディスプレイである、請求項1に記載の方法。
【請求項１５】
該フラット・パネル・ディスプレイが有機発光ダイオード・ディスプレイである、請求項1に記載の方法。
【請求項１６】
該フラット・パネル・ディスプレイがプラズマ・ディスプレイである、請求項1に記載の方法。
【請求項１７】
a)  複数のフラット・パネル・ディスプレイ、ここで、各フラット・パネル・ディスプレイは、アレイを成して配列された複数の画素を含むディスプレイ領域を有し、そして少なくとも1つの欠陥画素を有する；及び、
b)  該複数のフラット・パネル・ディスプレイと整列した状態で配置された1つ又は2つ以上のフェースプレート、ここで、該1つ又は2つ以上のフェースプレートは、アレイを成す複数のライトパイプを有し、該ライトパイプは、該フラット・パネル・ディスプレイのディスプレイ領域から、該タイル型ディスプレイの該ディスプレイ面に光を透過させるための入力端面と出力端面とを有し、該ライトパイプのそれぞれの該入力端面は、該選択されたフラット・パネル・ディスプレイの1つの画素の面積よりも大きい面積を有し、そして、各ライトパイプは、該フラット・パネル・ディスプレイの該ディスプレイ領域からの2つ以上の画素から、該タイル型ディスプレイの該ディスプレイ面に光を透過させる、
を含んで成るタイル型ディスプレイ。
【請求項１８】
該フラット・パネル・ディスプレイの該ディスプレイ領域が、第1のサイズを有し、そして該ライトパイプが、該ディスプレイ領域から、該フラット・パネル・ディスプレイの該ディスプレイ領域のサイズよりも大きい第2のサイズを有する該タイル型ディスプレイのディスプレイ面に、光を透過させる、請求項17に記載のタイル型ディスプレイ。
【請求項１９】
該タイル型ディスプレイの該ディスプレイ面が、該フラット・パネル・ディスプレイの該ディスプレイ領域に対して平行である、請求項18に記載のタイル型ディスプレイ。
【請求項２０】
選択された各フラット・パネル・ディスプレイと整列した状態で個々のフェースプレートを有し、個々の該フェースプレートの隣り合うエッジが、アレイを成すように整列させられる、請求項17に記載のタイル型ディスプレイ。
【請求項２１】
該フェースプレートの、整列させられた隣り合うエッジが、少なくとも1つの次元で相互嵌合される、請求項20に記載のタイル型ディスプレイ。
【請求項２２】
該フェースプレートの、該整列させられた隣り合うエッジが、2つの次元で相互嵌合される、請求項21に記載のタイル型ディスプレイ。
【請求項２３】
該フェースプレートの、該整列させられた隣り合うエッジが、少なくとも1つの次元で、2つ以上の行又は列によって相互嵌合される、請求項21に記載のタイル型ディスプレイ。
【請求項２４】
単一のフェースプレートと整列した状態で、選択された多数のフラット・パネル・ディスプレイを有する、請求項17に記載のタイル型ディスプレイ。
【請求項２５】
該フラット・パネル・ディスプレイの隣り合うエッジに沿った画素素子からの光を透過させるライトパイプが、少なくとも1つの次元でタイル型ディスプレイのディスプレイ面で相互嵌合される、請求項24に記載のタイル型ディスプレイ。
【請求項２６】
該フラット・パネル・ディスプレイの隣り合うエッジに沿った画素素子からの光を透過させるライトパイプが、2つの次元でタイル型ディスプレイのディスプレイ面で相互嵌合される、請求項25に記載のタイル型ディスプレイ。
【請求項２７】
該フラット・パネル・ディスプレイの隣り合うエッジに沿った画素素子からの光を透過させるライトパイプが、少なくとも1つの次元で、2つ以上の行又は列によって相互嵌合される、請求項24に記載のタイル型ディスプレイ。
【請求項２８】
該欠陥画素が、色及び/又は明るさにおいて欠陥がある、請求項17に記載のタイル型ディスプレイ。
【請求項２９】
さらに、各ライトパイプの光出力を共通の明るさ、色、及びダイナミックレンジに補正するためのコントローラーを含む、請求項17に記載のタイル型ディスプレイ。
【請求項３０】
該フラット・パネル・ディスプレイが液晶ディスプレイである、請求項17に記載のタイル型ディスプレイ。
【請求項３１】
該フラット・パネル・ディスプレイが有機発光ダイオード・ディスプレイである、請求項17に記載のタイル型ディスプレイ。
【請求項３２】
該フラット・パネル・ディスプレイがプラズマ・ディスプレイである、請求項17に記載のタイル型ディスプレイ。
【発明の詳細な説明】
【技術分野】
【０００１】
本発明は、一般的にタイル型ディスプレイの製造方法に関し、具体的には光学フェースプレートを使用したタイル型ディスプレイの製造方法に関する。
【背景技術】
【０００２】
それぞれが2次元の画素アレイを有する複数のタイルを使用してデバイスを形成することにより、電気光学画像形成デバイス、例えばフラット・パネル・ディスプレイ又は画像センサーのサイズを大きくすることが知られている。例えばSeraphim他に2001年7月17日付けで発行された米国特許第6,262,696号明細書を参照されたい。より小さなディスプレイと組み合わせた光ファイバー・パネルのアレイを使用して、大きいタイル型ディスプレイを形成することもできる。Soltan他に1981年11月10日付けで発行された米国特許第4,299,447号明細書に記載されているように、光ファイバー・パネルは、ディスプレイ・タイル間のエッジギャップを小さくする。1999年8月19日付けで発行されたMatthies他の国際公開99/41732号パンフレットには、タイルのエッジまで画定された画素配置を有するディスプレイ・タイルからタイル型ディスプレイ・デバイスを形成することが記載されている。画像センサーのサイズを大きくするためのタイルの1使用例が、Karellasに1996年11月5日付けで発行された米国特許第5,572,034号明細書に示されている。
【０００３】
しかし、タイル型画像形成デバイスを構成することは難しい。単独で使用されようと、光ファイバー・フェースプレートと一緒に使用されようと、2つのタイルが正確に同様であることはなく、人間の目は局在領域における色、明るさ、及びコントラストの差に対して著しく敏感である。ディスプレイ又は画像センサー・タイルの均一性及び色バランスを調節することができる較正技術があるが、しかし、これらは難しく、所定の時間の経過後に再調節を必要とし、そしてしばしば不十分である。さらに、人間の目は水平方向及び垂直方向の直線に対して極めて敏感なので、タイル・エッジ間のシームは非常に目立つ。
【０００４】
フラット・パネル・タイルの集成も問題である。タイル・シームと関連する問題を改善するために、タイル型ディスプレイは、極めて注意深く、そして高い精度をもって集成されなければならない。このプロセスは、高価且つ低速であり、また、タイルを配置したらすぐに高価な型又はブラケットを用いてこれらのタイルを整列させなければ、製品は時間が経つと整列状態に乱れが生じやすくなる。
【０００５】
さらに、複数のディスプレイ・デバイスを使用すると、ディスプレイのコストは、ディスプレイが大きくなるほど著しく高くなる。単一基板ディスプレイ・デバイスの方が、同等のサイズのタイル型ディスプレイよりも低廉であるということも真実であり得る。
【発明の開示】
【発明が解決しようとする課題】
【０００６】
従って、タイル不均一性及びタイル・シームの視認性を低減する一方で、タイル型ディスプレイ・デバイスのコストを低減し、そしてタイルの機械的集成を向上させる、タイル型電気光学ディスプレイ・デバイスの製造方法が必要である。
【課題を解決するための手段】
【０００７】
1実施態様によれば、本発明は、
a)  複数のフラット・パネル・ディスプレイを選択すること、ここで、各フラット・パネル・ディスプレイはアレイを成して配列された複数の画素を含むディスプレイ領域を有し、そして少なくとも1つの欠陥画素を有する；
b)  該複数のフラット・パネル・ディスプレイと整列した状態で、1つ又は2つ以上のフェースプレートを配置することにより、タイル型ディスプレイを形成すること、ここで、該1つ又は2つ以上のフェースプレートはアレイを成す複数のライトパイプを有し、該ライトパイプは、該フラット・パネル・ディスプレイのディスプレイ領域から、該タイル型ディスプレイの該ディスプレイ面に光を透過させるための入力端面と出力端面とを有し、該ライトパイプのそれぞれの該入力端面は、該選択されたフラット・パネル・ディスプレイの1つの画素の面積よりも大きい面積を有し、そして、各ライトパイプは、該フラット・パネル・ディスプレイの該ディスプレイ領域からの2つ以上の画素から、該タイル型ディスプレイの該ディスプレイ面に光を透過させる、
各工程を含んで成るタイル型ディスプレイの製造方法に関する。
【０００８】
第2の実施態様によれば、本発明は、
a)  複数のフラット・パネル・ディスプレイ、ここで、各フラット・パネル・ディスプレイは、アレイを成して配列された複数の画素を含むディスプレイ領域を有し、そして少なくとも1つの欠陥画素を有する；及び、
b)  該複数のフラット・パネル・ディスプレイと整列した状態で配置された1つ又は2つ以上のフェースプレート、ここで、該1つ又は2つ以上のフェースプレートは、アレイを成す複数のライトパイプを有し、該ライトパイプは、該フラット・パネル・ディスプレイのディスプレイ領域から、該タイル型ディスプレイの該ディスプレイ面に光を透過させるための入力端面と出力端面とを有し、該ライトパイプのそれぞれの該入力端面は、該選択されたフラット・パネル・ディスプレイの1つの画素の面積よりも大きい面積を有し、そして、各ライトパイプは、該フラット・パネル・ディスプレイの該ディスプレイ領域からの2つ以上の画素から、該タイル型ディスプレイの該ディスプレイ面に光を透過させる、
を含んで成るタイル型ディスプレイに関する。
【発明の効果】
【０００９】
本発明の利点は、低減されたコスト及び改善された性能で、タイル型フラット・パネル・アレイを提供することである。
【発明を実施するための最良の形態】
【００１０】
図1を参照すると、本発明の1実施態様によるタイル型ディスプレイ・システムの製造方法は、複数のフラット・パネル・ディスプレイを製造し(100)、それぞれのフラット・パネル・ディスプレイは、アレイを成して配列された複数の画素を含むディスプレイ領域を有し；少なくとも1つの欠陥画素を有するフラット・パネル・ディスプレイを選択し(102)；アレイを成す複数のライトパイプを有するフェースプレートを製造し(104)、該ライトパイプは、該フラット・パネル・ディスプレイの該ディスプレイ領域から該タイル型ディスプレイのディスプレイ面に光を透過させるための入力端面及び出力端面を有し、該ライトパイプのそれぞれの該入力端面は、1画素の面積よりも大きい面積を有し；そして、複数のフラット・パネル・ディスプレイと整列した状態で、1つ又は2つ以上のフェースプレートを配置する(106)ことにより、タイル型ディスプレイを形成し(108)、該1つ又は2つ以上のフェースプレートの各ライトパイプは、該フラット・パネル・ディスプレイのディスプレイ領域からの2つ以上の画素から、該タイル型ディスプレイの該ディスプレイ面に、光を透過させる。好ましい実施態様の場合、フラット・パネル・ディスプレイのディスプレイ領域は、第1のサイズを有し、そしてライトパイプは、ディスプレイ領域から、フラット・パネル・ディスプレイのディスプレイ領域のサイズよりも大きい第2のサイズを有するタイル型ディスプレイのディスプレイ面に、光を透過させる。さらに、タイル型ディスプレイのディスプレイ面は、フラット・パネル・ディスプレイのディスプレイ領域に対して好ましくは平行である。タイル型ディスプレイは、選択された各フラット・パネル・ディスプレイと整列した状態で個々のフェースプレートを配置し、そして個々のフェースプレートの隣り合うエッジをアレイを成すように整列させることにより、形成することができる。或いは、タイル型ディスプレイは、単独のフェースプレートと整列した状態で、選択された複数のフラット・パネル・ディスプレイを配置することにより形成することができる。このような別の実施態様の場合、選択された複数のフラット・パネル・ディスプレイと整列させられた単独のフェースプレート自体を、アレイを成すように、整列させることもできる。
【００１１】
本発明の方法は、従来の用途における個々のディスプレイ、例えばモニター又はビデオ・デバイスとして使用するのに通常は受け入れることができないフラット・パネル・ディスプレイを選択することにより、コストを軽減する。本発明によるタイル型ディスプレイ・デバイスを構成するために、複数の画素を有するフラット・パネル・ディスプレイが先ず製造される。このような製造方法が不完全であり、そして欠陥画素を有する多数のフラット・パネル・ディスプレイをもたらすことがよく知られている。これらの画素は色、ダイナミックレンジにおいて欠陥がある場合があり、又はオン又はオフの状態のまま動かなくなるおそれがある。所望の用途いかんでは、ある程度の数の不良画素を受け入れることができる。受け入れることができない品質を有するディスプレイは廃棄される。本発明によれば、少なくとも1つの欠陥画素を有するディスプレイが選択される。本発明のディスプレイ・システムは、通常は拒絶されるディスプレイを利用するので、大型のディスプレイのコストが著しく低減される。
【００１２】
複数のライトパイプを有するフェースプレートが、フラット・パネル・ディスプレイの画素アレイに対して相補的なアレイを成して、しかしより低い解像度で形成される(すなわち、各ライトパイプは2つ以上の画素から光を透過させる)。1つの実施態様の場合、各フェースプレートは、選択されたフラット・パネル・ディスプレイのうちの1つと整列させられ、そして例えば接着剤又はファスナーによって、フレーム内で所定の位置に保持される。或いは、単一のフェースプレートと整列した状態で、選択された複数のフラット・パネル・ディスプレイを配置することもできる。電子構成部分(例えば回路を有するプリント回路基板)又はコネクターをディスプレイに固定することもできる。次いで、フェースプレートをエッジ間で配置することにより、より大きいアレイを形成することができる。フェースプレートは相互嵌合エッジを有することにより、整列を補助することができる。
【００１３】
フラット・パネル・ディスプレイのライトパイプのうちの1つ又は2つ以上のパイプの画素は、欠陥がある。各ライトパイプは2つ以上の画素から光を透過させるので、欠陥画素からの光は、隣接する良好画素と平均化されて、欠陥画素の効果を低減することになる。各ライトパイプが十分に多数の画素を占めるならば、1つ又は2つ以上の欠陥画素を収容するために、ソフトウェア補正が必要とならなくなることがあり得る。欠陥要素は、多数の良好画素と組み合わされると、知覚できないことがある。例えば、ライトパイプが10 × 10画素アレイ(合計100個)を有する場合、100個の画素の内部の不良画素の存在は目立たない場合がある。この場合には補正の必要はない。
【００１４】
しかし、欠陥画素が知覚可能ならば、種々の方法で、補償を施すことができる。画素がオフのまま動かない場合、同じライトパイプを使用した他の画素を、より明るくすることができる。このことは、ディスプレイの寿命を事実上低減する。或いは、他の画素の明るさを共通の明るさに同様に低減することにより、ディスプレイの均一性が維持されるならば、低減された明るさを受け入れることができる。画素がオンのまま動かない場合、ライトパイプ毎に所定の画素をオンにする(ディスプレイのコントラスト全体を低減する)ことにより、同様の補正を行うことができ、或いは、同じライトパイプを使用した他の画素を薄暗くすることができる。色要素が動作不能の場合には、単一のライトパイプと組み合わされた画素内部で、又は他のライトパイプの光出力を補正することにより、色補正を行うこともできる。
【００１５】
例えばデジタル・カメラでディスプレイの光出力を測定することにより、補正を計算することができる。均一性、ダイナミックレンジ、ブラック・レベル、ホワイト・レベル及び色は、ディスプレイ上に種々のテスト画像を表示することにより測定することができる。ディスプレイの品質を維持するために画素の補正が必要となる場合、これらの補正は、電子機器内で、典型的にはルックアップテーブル、及び増幅器などを通して計算して実行することができる。
【００１６】
図2を参照すると、本発明の考えられ得る1つの実施態様によるタイル型ディスプレイは、エッジ14及び画素群アレイを有する、2 × 2アレイのタイル10を含む。各画素群からの光は、単一のライトパイプ52を透過させられる。タイル10のエッジ14は整列させられることにより、タイル14のエッジと、アレイ内のライトパイプ52の最後の行又は列との間にシーム12を形成する(図2は、説明を明確にするために、共通の尺度を持つようには示されていない)。図2の配列は単純な構造を有するのが有利であるが、エッジ・シーム12は、人間の目で見ることができる。なぜならば、これが直線状であり、水平又は垂直であり、そして画素の行及び列と同じである方向を有するからである。さらに、タイル間の小さな差異、例えば色、明るさ、感受性又はノイズの差異を人間の目で見ることができる。
【００１７】
図3a及び3bを参照すると、本発明の方法の2つの好ましい実施態様によるエッジ構造を有する2つのタイルが示されている。図3a及び3bにおいて、タイル10の4つのエッジが非線状であり、そしてライトパイプの行及び列が段付きパターンを有しているので、各行又は列22は互い違いの端部で、隣接する行又は列を超えて延びることにより、ライトパイプの相互嵌合アレイ20を形成する。さらに、各タイルの対向するエッジ24及び26上に位置する行及び列が相補形状を有しているので、各タイル・エッジ上の行及び列は図4に示すように相互嵌合することができる。図4を参照すると、タイル10の4つが、ライトパイプ52の規則的なアレイを形成するように配列され、その結果、タイルのエッジに位置するライトパイプが相互嵌合されることにより、相互嵌合列34又は行36を形成する。タイル・エッジに位置するライトパイプの相互嵌合は、多数の利点を有する。第1に、タイル・シームは人間の目では見づらい。なぜならば、これは直線状ではなく、ひいてはタイル・シームの視認性を低減するからである。第2に、2つの隣接するタイルから成るライトパイプの相互嵌合は、タイル間の均一性の差を曖昧にする。第3に、タイルのエッジはもはや、互いに滑ってずれることはできない。なぜならば、エッジの段付き形状はタイルを所定の位置に互いにロックするからである。さらに、これらのタイルは集成するのがより容易である。それというのも、これらのタイルは互いに特定位置にロックされるからである。
【００１８】
なお、図3及び4は2つの次元で相互嵌合を示しているが、1つの次元でのみ、例えば行によって、又は列によって相互嵌合することも可能である。このアプローチは、1つの次元においてだけ整列及び視認性改善を提供するが、しかしこのアプローチにより、製造が著しく容易になる。
【００１９】
発明者は、CRTディスプレイ上で本発明によるタイル型ディスプレイ・デバイスをシミュレートする人間試験者を用いて試験を実施し、これらの試験は、タイル間の相互嵌合エッジが、タイル間の全体的な均一性が知覚され得る閾値を50パーセントも増大させ、エッジ・シームの視認性を50%も低減することを示した。
【００２０】
本発明による多タイル・デバイスにおける各タイルは、対向するエッジ24及び26上に相補的なパターンを有することができるので、エッジに沿って、相互嵌合するライトパイプと一緒にタイルを配置することができる。多タイル・デバイスのエッジ上のタイルは、直線状のエッジを有することはない。タイル型アレイのエッジにフレームをマスキングすることにより、非直線状の外側エッジを曖昧することができる。或いは、特定のエッジ及びコーナー・タイルを1つ又は2つ以上のコンベンショナルな直線状のエッジを用いて形成することができる。
【００２１】
タイルのための画素制御メカニズムは改変されずにすみ、また、デバイス内に通常存在する行及び列の制御装置は、通常は動作することができる。ディスプレイ・デバイスにおいて、各タイルの情報は隣接するタイルとオーバーラップするので、隣接するタイルは、情報のエッジ行とエッジ列とを共通に有することになる。図3及び4を参照すると、隣り合うタイルは、画素群の1つの列又は行22だけオーバーラップする。これにより、ディスプレイ全体における行及び列の総数が、総オーバーラップ量だけ低減される。
【００２２】
種々のタイル・エッジ形状を使用することができる。図5に示すように、複数画素分の深さがある、より深い段を使用することができる。図5を参照すると、タイルは、画素群の2列又は2行44だけオーバーラップする段エッジを内蔵している。これを拡張して、より大きくオーバーラップさせると、シームの遮蔽及び見かけのタイル均一性が改善されるが、しかし、より大きくオーバーラップされた行又は列が犠牲になる。
【００２３】
図6を参照すると、タイル10は、ライトパイプ52のアレイを含むフェースプレート54を有するフラット・パネル・ディスプレイ50を含む。好適なフラット・パネル・ディスプレイは例えば液晶ディスプレイ、有機発光ダイオード・ディスプレイ、又はプラズマ・ディスプレイであってよい。フェースプレート54は、1つのフェースプレート54を別のフェースプレートと整列させるように役立つエッジ14を有している。各フェースプレート54は2つの面、すなわち入力面55と出力面56とを有している。ライトパイプ52は、フラット・パネル・ディスプレイ50と近接して配置された入力側55を有する。フラット・パネル・ディスプレイ50は、ライトパイプと整合された画素から、ライトパイプ本体を通して光を出力側56に導く。出力側56からは、光は観察者に放出される。好ましい実施態様によれば、フェースプレート54の出力側56は、入力側55よりも大きいことにより、個々のフラット・パネル・ディスプレイ50の周囲の非発光領域を収容する。このような実施態様において、それぞれの個々のライトパイプは、入力側55よりも出力側56で大きく分離されなければならないか、或いは、入力側55よりも出力側56で大きくなければならない。このことは、フラット・パネル・ディスプレイ50が入力側55上で整列状態で配置されるスペースを提供する一方で、フェースプレート54が出力側56に沿って整列されるのを可能にする。
【００２４】
図7a及び7bを参照すると、2つのライトパイプ52及びこれらと組み合わされた発光画素16の部分断面(図7a)及び頂面(図7b)が示されている。画素16は基板58上に形成されており、そして、それぞれが異なる色を放出して単独の色画素を形成する複数のサブ要素を含むことができる。各ライトパイプは2つ以上の画素から光を透過させる。図7a及び7bに示された例において、各ライトパイプは、2 × 2アレイで配列された4つの画素と組み合わされる。実際に、各ライトパイプと組み合わされた画素の数は、ディスプレイ全体の所望の解像度、各タイルに使用される個々のディスプレイの解像度、及びディスプレイ全体におけるライトパイプの数に応じて変化する。
【００２５】
各ライトパイプは2つ以上の画素から光を透過させるので、各タイルの有効解像度は低減される。実際には、コンベンショナルなビデオ又は他の信号(例えばHDTV又はDVI信号)を変化させることのできる電子デバイスが、入力信号を、それぞれが1つのディスプレイ・タイルと組み合わされる信号の集合に変換する。変換された信号は、解像度が低減され、そして各ライトパイプと組み合わされた画素の全てに、単独画素要素信号を伝達する。このような電子処理装置は、例えば米国特許出願公開第2004/0008155号明細書に記載されている。
【図面の簡単な説明】
【００２６】
【図１】図1は、本発明の方法の1実施態様を示すフロー・ダイヤグラムである。
【図２】図2は、2 × 2のタイル・アレイを有する従来技術のタイル型ディスプレイを示す概略図である。
【図３ａ】図3aは、本発明の1実施態様によるタイルのための相互嵌合画素のレイアウトを示す概略図である。
【図３ｂ】図3bは、本発明の別の実施態様によるタイルのための相互嵌合画素のレイアウトを示す概略図である。
【図４】図4は、図3aの画素のレイアウトを使用した本発明の実施態様による、2 × 2の相互嵌合タイル・アレイを示す概略図である。
【図５】図5は、本発明の1実施態様による、別の相互嵌合を有する2 × 2の相互嵌合タイル・アレイを示す概略図である。
【００２７】
画素素子はディスプレイ・デバイスよりも著しく小さいので、図面は共通の尺度を有していないことは理解されよう。
【符号の説明】
【００２８】
8    電気光学画像形成デバイス
10    タイル
12    シーム
14    エッジ
16    画素
20    相互嵌合ライトパイプ・アレイ
22    ライトパイプの行又は列
24    タイル・エッジ
26    タイル・エッジ
34    相互嵌合列
36    相互嵌合行
44    複数の相互嵌合列又は行
50    フラット・パネル・ディスプレイ
52    ライトパイプ
54    フェースプレート
55    入力面
56    出力面
58    基板
100    フラット・パネル・ディスプレイ製造工程
102    選択工程
104    ライトパイプ・フェースプレート製造工程
106    配置工程
108    形成工程
【図１】
2007524133.tif 000003
【図２】
2007524133.tif 000004
【図３ａ】
2007524133.tif 000005
【図３ｂ】
2007524133.tif 000006
【図４】
2007524133.tif 000007
【図５】
2007524133.tif 000008
【図６】
2007524133.tif 000009
【図７ａ】
2007524133.tif 000010
【図７ｂ】
2007524133.tif 000011
【国際調査報告】
2007524133.tif 000012
2007524133.tif 000013
2007524133.tif 000014